(57)【要約】【課題】移動通信端末機でメッセージの文字サイズを変更してユーザーの読み取りを容易にするための方法及び装置を提供する。【解決手段】本発明は、移動通信端末機でメッセージを拡大するための方法であって、メッセージの入力時に、入力文字サイズ変更モードが選択されるか否かを判定する段階と、入力文字サイズ変更モードが選択されると、一般メッセージの入力ウィンドウに拡大入力ウィンドウをディスプレーする段階と、拡大入力ウィンドウにメッセージを入力する段階とを有することを特徴とする。【選択図】図２
2007018511.tif 000002
【特許請求の範囲】
【請求項１】
移動通信端末機でメッセージを拡大するための方法であって、 
メッセージの入力時に、入力文字サイズ変更モードが選択されるか否かを判定する段階と、 
前記入力文字サイズ変更モードが選択されると、一般メッセージの入力ウィンドウに拡大入力ウィンドウをディスプレーする段階と、 
前記拡大入力ウィンドウにメッセージを入力する段階と、
を有することを特徴とする方法。
【請求項２】
前記入力文字サイズ変更モードは、一般入力文字の１.５倍に拡大して入力するすこし大きく入力のメニューと前記一般入力文字の２倍に拡大して入力する大きく入力のメニューを含むことを特徴とする請求項１記載の方法。
【請求項３】
前記拡大入力ウィンドウがポップアップウィンドウであることを特徴とする請求項１記載の方法。
【請求項４】
前記拡大入力ウィンドウにメッセージを入力する場合に、一般メッセージ入力ウィンドウにも同時に入力される段階をさらに有することを特徴とする請求項１記載の方法。
【請求項５】
前記メッセージは、ＳＭＳ(Ｓｈｏｒｔ  Ｍｅｓｓａｇｅ  Ｓｅｒｖｉｃｅ)メッセージ、電子メール(ｅ-ｍａｉｌ)、ＭＭＳ(Ｍｕｌｔｉｍｅｄｉａ  Ｍｅｓｓａｇｅ  Ｓｙｓｔｅｍ)メッセージ、ＥＭＳ(Ｅｎｈａｎｃｅｄ  Ｍｅｓｓａｇｅ  Ｓｅｒｖｉｃｅ)メッセージのうちいずれか一つであることを特徴とする請求項１記載の方法。
【請求項６】
移動通信端末機でメッセージを拡大するための方法であって、 
メッセージを確認する場合に、文字サイズ変更メニューが選択されるか否かを判定する段階と、 
前記文字サイズ変更メニューが選択されると、前記メッセージの中で拡大する部分を選択する段階と、 
前記選択された部分をポップアップウィンドウ又は拡大鏡ウィンドウを用いて拡大する段階と、
を有することを特徴とする方法。
【請求項７】
前記拡大する部分を選択しないと、始めから拡大する段階をさらに有することを特徴とする請求項６記載の方法。
【請求項８】
前記ポップアップウィンドウは、メッセージをライン単位で選択して拡大することを特徴とする請求項６記載の方法。
【請求項９】
前記拡大鏡ウィンドウは、文節単位又は一つの文字単位で拡大することを特徴とする請求項６記載の方法。
【請求項１０】
前記拡大された部分は、特定キーを用いて次の区間に移動して拡大する段階をさらに有することを特徴とする請求項６記載の方法。
【請求項１１】
前記メッセージは、ＳＭＳメッセージ、電子メール、ＭＭＳメッセージ、ＥＭＳメッセージのうちいずれか一つであることを特徴とする請求項６記載の方法。
【請求項１２】
移動通信システムのメッセージフォントサイズを変更する方法であって、
フォントサイズ変更メニューを選択する段階と、
フォントサイズ変更ウィンドウをディスプレーする段階と、
前記フォントサイズ変更ウィンドウで変更されたフォントサイズでメッセージを入力する段階と、
有することを特徴とする方法。
【請求項１３】
前記フォントサイズ変更ウィンドウはポップアップウィンドウであることを特徴とする請求項１２記載の方法。
【請求項１４】
移動通信システムのメッセージフォントサイズを変更する方法であって、
メッセージの作成中にフォントサイズ変更メニューの選択をモニタリングする段階と、
フォントサイズ変更メニューが選択されると、フォントサイズ変更ウィンドウをディスプレーする段階と、
前記フォントサイズ変更ウィンドウで変更されたフォントサイズでメッセージを入力する段階と、
を有することを特徴とする方法。
【請求項１５】
移動通信システムのメッセージフォントサイズを変更する方法であって、
メッセージの読み取り中にフォントサイズ変更メニューを選択する段階と、
フォントサイズを変更するメッセージ領域を選択する段階と、
ウィンドウで選択されたメッセージ領域のフォントサイズを変更する段階と、
を有することを特徴とする方法。
【請求項１６】
前記ウィンドウは、前記メッセージを単語単位又は文章単位で変更することを特徴とする請求項１５記載の方法。
【請求項１７】
移動通信システムのメッセージフォントサイズを変更する方法であって、
メッセージの読み取り中にフォントサイズ変更メニューの選択をモニタリングする段階と、
フォントサイズ変更メニューが選択されると、フォントメッセージの一定領域を選択する段階と、
前記選択されたメッセージの一定領域のフォントサイズを変更する段階と、
を有することを特徴とする方法。
【請求項１８】
移動通信システムのメッセージを拡張させる装置であって、
メッセージの作成中にフォントサイズ変更メニューの選択をモニタリングし、フォントサイズ変更メニューが選択されると、メッセージを大きいフォントサイズで入力するための拡張エントリウィンドウを出力する段階を遂行する制御部と、
前記フォントサイズ変更メニュー及び前記拡張エントリウィンドウをディスプレーするためのディスプレー手段と、
を含むことを特徴とする装置。
【請求項１９】
前記拡張エントリウィンドウはポップアップウィンドウであることを特徴とする請求項１８記載の装置。
【請求項２０】
移動通信システムのメッセージを拡張させる装置であって、
メッセージの作成中にフォントサイズ変更メニューの選択をモニタリングし、フォントサイズ変更メニューが選択されると、拡張するメッセージ領域を選択し、ポップアップウィンドウ又は拡大ウィンドウのうちのいずれか一つで選択されたメッセージ領域を出力する制御部と、
前記フォントサイズ変更メニュー及び前記ポップアップウィンドウ又は拡大ウィンドウのうちのいずれか一つをディスプレーするためのディスプレー手段と、
を含むことを特徴とする装置。
【請求項２１】
移動通信システムのメッセージフォントサイズを変更する装置であって、
フォントサイズ変更メニューを選択し、フォントサイズ変更ウィンドウを出力し、前記フォントサイズ変更ウィンドウで変更されたフォントサイズでメッセージを入力する制御部と、
前記フォントサイズ変更メニュー及び前記フォントサイズ変更ウィンドウをディスプレーするためのディスプレー手段と、
を含むことを特徴とする装置。
【請求項２２】
前記フォントサイズ変更ウィンドウは、ポップアップウィンドウであることを特徴とする請求項２１記載の装置。
【請求項２３】
移動通信システムのメッセージフォントサイズを変更する装置であって、
メッセージの読み取り中にフォントサイズ変更メニューを選択し、フォントサイズを変更するメッセージ領域を選択し、ウィンドウで選択されたメッセージ領域のフォントサイズを変更する制御部と、
前記フォントサイズ変更メニュー及び前記ウィンドウをディスプレーするためのディスプレー手段と、
を含むことを特徴とする装置。
【発明の詳細な説明】
【技術分野】
【０００１】
本発明は移動通信端末機でメッセージの文字サイズ変更のための方法及び装置に関するもので、特に、前記移動通信端末機でメッセージを入力し、或いは受信されたメッセージを確認する場合に、このメッセージの文字を拡大してユーザーの読み取りを容易にするための方法及び装置に関するものである。
【背景技術】
【０００２】
移動通信端末機は、携帯の便利性のため、使用が急激に増加しつつ、サービス提供者(端末機製造者)はより多くのユーザーを確保するために、より便利で特別な機能を開発している。例えば、移動通信端末機は、電話帳(ｐｈｏｎｅｂｏｏｋ)、ゲーム(ｇａｍｅ)、スケジューラ(ｓｃｈｅｄｕｌｅｒ)、短文メッセージ(ｓｈｏｒｔ  ｍｅｓｓａｇｅ)、インターネット、電子メール(ｅ-ｍａｉｌ)、モーニングコール(ｍｏｒｎｉｎｇ  ｃａｌｌ)、ＭＰ３(ＭＰＥＧ  Ｌａｙｅｒ３)、デジタルカメラのような多様な機能を提供している。
【０００３】
移動通信端末機の付加機能の中で、最も多く使用される付加機能は短文メッセージである。短文メッセージは、最近で通話機能よりも好む傾向が増加するにしたがって、特に、青少年層では意思疎通のために音声通話より多く使用されている。また、単純な文字メッセージ以外に各種マルチメディアメッセージの伝送が可能で、写真、通話接続音(ｒｉｎｇ-ｔｏｎｅ)、ビデオクリップなど多様な種類のメッセージ伝送が可能になり、それによってますます大きい市場に成長してきている。
【０００４】
大部分の国で使用される短文メッセージは、イモティコン（顔文字）のために１ライン当り一定量のバイト（韓国ては、１６バイト）及び対応する一定量の英文字(韓国では、１６バイト)で制限して入力している。したがって、イモティコンを維持するために文字のサイズも制限される。
【０００５】
短文メッセージを表示する場合に、移動通信端末機は、表示部サイズの限界及びイモティコンを維持するための文字サイズを制限するため、メッセージの入力及び確認時に、視力の悪い人は表示部に表示された文字の読み取りが難しいという問題点があった。また、視力が悪い人々のために、メッセージの文字サイズを任意に調整する場合に、イモティコンのレイアウト(Ｌａｙ-ｏｕｔ）が変わってイモティコンの形態が見られないという短所があり、それによって、メッセージの文字サイズが制限されるという問題点があった。
【発明の開示】
【発明が解決しようとする課題】
【０００６】
したがって、上記のような従来技術の問題点を解決するために、本発明の目的は、移動通信端末機でメッセージの文字サイズを変更してユーザーの読み取りを容易にするための方法を提供することにある。
【課題を解決するための手段】
【０００７】
上記の目的を達成するために、本発明は、移動通信端末機でメッセージを拡大するための方法であって、メッセージの入力時に、入力文字サイズ変更モードが選択されるか否かを判定する段階と、前記入力文字サイズ変更モードが選択されると、一般メッセージの入力ウィンドウに拡大入力ウィンドウをディスプレーする段階と、前記拡大入力ウィンドウにメッセージを入力する段階とを有することを特徴とする。
【０００８】
また、本発明は、移動通信端末機でメッセージを拡大するための方法であって、メッセージを確認する場合に、文字サイズ変更メニューが選択されるか否かを判定する段階と、前記文字サイズ変更メニューが選択されると、前記メッセージの中で拡大する部分を選択する段階と、前記選択された部分をポップアップウィンドウ又は拡大鏡ウィンドウを用いて拡大する段階とを有することを特徴とする。
本発明は、移動通信システムのメッセージを拡張させる装置であって、メッセージの作成中にフォントサイズ変更メニューの選択をモニタリングし、フォントサイズ変更メニューが選択されると、メッセージを大きいフォントサイズで入力するための拡張エントリウィンドウを出力する段階を遂行する制御部と、前記フォントサイズ変更メニュー及び前記拡張エントリウィンドウをディスプレーするためのディスプレー手段とを含むことを特徴とする。
さらに、本発明は、移動通信システムのメッセージフォントサイズを変更する装置であって、メッセージの読み取り中にフォントサイズ変更メニューを選択し、フォントサイズを変更するメッセージ領域を選択し、ウィンドウで選択されたメッセージ領域のフォントサイズを変更する制御部と、前記フォントサイズ変更メニュー及び前記ウィンドウをディスプレーするためのディスプレー手段とを含むことを特徴とする。
【発明の効果】
【０００９】
本発明は、移動通信端末機でポップアップウィンドウ又は拡大鏡ウィンドウを用いて一定サイズの文字を拡大して見ることができ、従来のイモティコンのためのメッセージ入力規定を維持しつつ、ユーザーがメッセージをより容易に読み取ることができる利点がある。
【発明を実施するための最良の形態】
【００１０】
以下、本発明の望ましい実施形態を添付の図面を参照して詳細に説明する。
【００１１】
本発明に関連した公知機能或いは構成に関する具体的な説明が本発明の要旨を不明にすると判断された場合に、その詳細な説明を省略する。
【００１２】
下記に、本発明は、移動通信端末機でメッセージの文字サイズを変更してメッセージの入力及び確認時に、ユーザーがメッセージの読み取りを容易にするための技術について説明する。以下の説明で、メッセージは、ＳＭＳ(Ｓｈｏｒｔ  Ｍｅｓｓａｇｅ  Ｓｅｒｖｉｃｅ)メッセージ、電子メール(ｅ-ｍａｉｌ)、ＭＭＳ(Ｍｕｌｔｉｍｅｄｉａ  Ｍｅｓｓａｇｅ  Ｓｙｓｔｅｍ)メッセージ、ＥＭＳ(Ｅｎｈａｎｃｅｄ  Ｍｅｓｓａｇｅ  Ｓｅｒｖｉｃｅ)メッセージなどをすべて含む意味である。
【００１３】
図１は、本発明による移動通信端末機を示すブロック構成図である。ここで、移動通信端末機は、セルラー電話(ｃｅｌｌｕｌａｒ  ｐｈｏｎｅ)、個人携帯通信電話機(Ｐｅｒｓｏｎａｌ  Ｃｏｍｍｕｎｉｃａｔｉｏｎ  Ｓｙｓｔｅｍ：ＰＣＳ)、複合無線端末機(Ｐｅｒｓｏｎａｌ  Ｄａｔａ  Ａｓｓｉｓｔａｎｔ：ＰＤＡ)、ＩＭＴ-２０００(Ｉｎｔｅｒｎａｔｉｏｎａｌ  Ｍｏｂｉｌｅ  Ｔｅｌｅｃｏｍｍｕｎｉｃａｔｉｏｎ  ２０００)端末機をすべて含む意味である。以下に、上記の実施形態による一般的な構成について説明する。
【００１４】
図１を参照すると、制御部(Ｍｉｃｒｏ-Ｐｒｏｃｅｓｓｅｒ  Ｕｎｉｔ：ＭＰＵ)１００は、移動通信端末機の全般的な動作を制御する。例えば、音声通話及びデータ通信のための処理及び制御を遂行し、通常的な機能に加えて本発明によりポップアップウィンドウ又は拡大鏡ウィンドウを用いてメッセージの文字サイズを変更するための機能を処理する。したがって、以下の説明において、通常の制御部１００の処理及び制御に関する説明は省略する。ここで、ページ単位は、一つの画面に表示されるメッセージを意味する。
【００１５】
ＲＯＭ(Ｒｅａｄ  Ｏｎｌｙ  Ｍｅｍｏｒｙ)１０２は、制御部１００の処理及び制御のためのプログラムのマイクロコードと各種参照データを貯蔵する。特に、本発明により、メッセージの文字サイズを変更してポップアップウィンドウ又は拡大鏡ウィンドウにディスプレーするためのプログラムを貯蔵する。ＲＡＭ(Ｒａｎｄｏｍ  Ａｃｃｅｓｓ  Ｍｅｍｏｒｙ)１０４は、制御部１００のワーキングメモリ(ｗｏｒｋｉｎｇ  ｍｅｍｏｒｙ）で、各種プログラムの遂行中に発生する一時的なデータを貯蔵する。フラッシュＲＯＭ(ｆｌａｓｈ  ＲＯＭ)１０６は、電話帳、発信メッセージ及び受信メッセージのような更新可能な各種保管用データを貯蔵する。
【００１６】
キーパッド(ｋｅｙ  ｐａｄ)１０８は、０〜９の数字キーボタン、メニューボタン、取り消しボタン、確認ボタン、通話ボタン、終了ボタン、インターネット接続ボタン、ナビゲーションキー(又は方向キー)ボタン(←/→/↑/↓) のような複数の機能キーを含み、ユーザーが押すキーに対応するキー入力データを制御部１００に提供する。表示部(場合によって、‘ディスプレー手段’と呼ばれる)１１０は、移動通信端末機の動作中に発生される状態情報、制限された個数の文字、多量の動映像及び静止画像などをディスプレーする。表示部１１０は、カラー液晶ディスプレー装置(Ｌｉｑｕｉｄ  Ｃｒｙｓｔａｌ  Ｄｉｓｐｌａｙ：ＬＣＤ)を使用することができる。
【００１７】
制御部１００に接続されたコーデック(Ｃｏｄｅｒ-Ｄｅｃｏｄｅｒ：ＣＯＤＥＣ)１１２と、コーデック１１２に接続されたスピーカ１１６及びマイク１１４は電話通話及び音声録音に使用される音声入出力ブロックである。コーデック１１２は、制御部１００から提供されるＰＣＭデータをアナログ音声信号に変換してスピーカ１１６を通じて伝送し、マイク１１４を通じて受信される音声信号をＰＣＭデータに変換して制御部１００に提供する。
【００１８】
また、ＲＦ部(Ｒａｄｉｏ  Ｆｒｅｑｕｅｎｃｙ  ｕｎｉｔ)１２０は、アンテナ１１８を通じて受信されるラジオ周波数信号を周波数下降させて基底帯域処理部１２２に提供し、基底帯域処理部１２２からの基底帯域信号を周波数上昇させてアンテナ１１８を通じて送信する。基底帯域処理部１２２は、ＲＦ部１２０と制御部１００との間に送受信される基底帯域信号を処理する。例えば、送信の場合に、送信するデータをチャンネル符号化(ｃｈａｎｎｅｌ  ｃｏｄｉｎｇ)及び拡散(ｓｐｒｅａｄｉｎｇ)する機能を遂行し、受信の場合に受信信号を逆拡散(ｄｅ-ｓｐｒｅａｄｉｎｇ)及びチャンネル復号(ｃｈａｎｎｅｌ  ｄｅｃｏｄｉｎｇ)する機能を遂行する。
また、移動通信システムのメッセージを拡張させる装置は、メッセージの作成中にフォントサイズ変更メニューの選択をモニタリングし、フォントサイズ変更メニューが選択されると、メッセージを大きいフォントサイズで入力するための拡張エントリウィンドウを出力する段階を遂行する制御部と、前記フォントサイズ変更メニュー及び前記拡張エントリウィンドウをディスプレーするためのディスプレー手段とを含むことが可能である。
移動通信システムのメッセージを拡張させる 装置は、メッセージの作成中にフォントサイズ変更メニューの選択をモニタリングし、フォントサイズ変更メニューが選択されると、拡張するメッセージ領域を選択し、ポップアップウィンドウ又は拡大ウィンドウのうちのいずれか一つで選択されたメッセージ領域を出力する制御部と、前記フォントサイズ変更メニュー及び前記ポップアップウィンドウ又は拡大ウィンドウのうちのいずれか一つをディスプレーするためのディスプレー手段とを含むことが可能である。
移動通信システムのメッセージフォントサイズを変更する装置は、フォントサイズ変更メニューを選択し、フォントサイズ変更ウィンドウを出力し、前記フォントサイズ変更ウィンドウで変更されたフォントサイズでメッセージを入力する制御部と、前記フォントサイズ変更メニュー及び前記フォントサイズ変更ウィンドウをディスプレーするためのディスプレー手段とを含むことが可能である。
なお、移動通信システムのメッセージフォントサイズを変更する装置は、メッセージの読み取り中にフォントサイズメニューを選択し、フォントサイズを変更するメッセージ領域と選択し、ウィンドウで選択されたメッセージ領域のフォントサイズを変更する制御部と、前記フォントサイズ変更メニュー及び前記ウィンドウをディスプレーするためのディスプレー手段とを含むことが可能である。
【００１９】
図２は、本発明の実施形態によるメッセージを拡大入力する手順を示すフローチャートである。図３は、本発明の実施形態でポップアップウィンドウを用いてメッセージを拡大入力する画面を示す。
【００２０】
図２を参照すると、制御部１００は、ステップ２０１で、ユーザーのキー操作によりメッセージ入力モードが選択されるか否かを判定する。その結果、メッセージ入力モードが選択されないと、制御部１００は、ステップ２１１に進行して該当モード(例えば、待機モード)を遂行する。
【００２１】
ステップ２０１の判定結果、メッセージ入力モードが選択されると、制御部１００は、ステップ２０３に進行して図３の(Ａ)に示すようにメッセージを入力する。メッセージが入力される間に、制御部１００は、ステップ２０５で、図３の(Ｂ)に示すようにユーザーのキー操作によって入力文字のサイズ変更メニュー(例えば、すこし大きく入力又は大きく入力)が選択されるか否かを判定する。
【００２２】
ステップ２０５の判定結果、入力文字サイズ変更メニューが選択されると、制御部１００は、ステップ２０７に進行して図３の(Ｃ)に示すようにメッセージ拡大入力ポップアップウィンドウをディスプレーする。その後、制御部１００は、ステップ２０９で、ディスプレーされた拡大入力ポップアップウィンドウにメッセージを持続的に入力する。このとき、拡大入力ポップアップウィンドウに入力されるメッセージは、図３の(Ａ)のような一般メッセージ入力ウィンドウに共に入力される。例えば、図３の(Ｃ)に示すように、拡大入力ウィンドウに“食べ物も”を入力すると、一般入力ウィンドウにも“食べ物も”という文字が同時に入力される。
【００２３】
以後、制御部１００は、メッセージの入力が終わると、上記のアルゴリズムを終了する。
【００２４】
上述したような拡大入力の実施形態は、図３の(Ｂ)に示すように、入力文字サイズ変更メニューを２つ(例えば、すこし大きく入力、大きく入力）として仮定する。すこし大きく入力が選択されると、図３の(Ｃ)に示すように拡大入力ポップアップウィンドウがディスプレーされ、ポップアップウィンドウに従来の基準文字サイズ(１ライン当り１６バイト入力、ハングルである場合に８字）の１.５倍に拡大して入力される。
【００２５】
また、大きく入力が選択されると、上記のような動作を同一に遂行するが、ポップアップウィンドウに従来の基準文字サイズの２倍に拡大して入力される。
【００２６】
図４は、本発明の実施形態によるメッセージを拡大して確認する手順を示すフローチャートである。図４を参照すると、制御部１００は、ステップ４０１で、ユーザーのキー操作によって確認するメッセージを選択する。制御部１００は、ステップ４０３で、この選択されたメッセージを表示部１１０にディスプレーする。
【００２７】
その後、制御部１００は、ステップ４０５で、文字サイズ変更メニュー(たとえば、１.拡大鏡見る、２.大きく見る)が選択されるか否かを判定する。その結果、文字サイズ変更メニューが選択された場合に、制御部１００は、ステップ４０７に進行して、ユーザーのキー操作によってディスプレーされたメッセージの中で拡大する部分を選択する。制御部１００は、ステップ４０９で、この選択された部分をポップアップウィンドウ又は拡大鏡ウィンドウを用いて拡大して表示部１１０にディスプレーする。
【００２８】
以下に、図５と図６に示すようにポップアップウィンドウを用いてメッセージを拡大する方法と拡大鏡ウィンドウを用いてメッセージを拡大する方法を説明する。
【００２９】
図５及び図６は、本発明の第１及び第２の実施形態によるメッセージを拡大して確認する画面をそれぞれ示す図である
【００３０】
図５を参照すると、ユーザーのキー操作によって特定のメッセージが選択されると、図５の(Ａ)に示すように、表示部１１０にディスプレーされる。図５の(Ｂ)に示すように、ユーザーのキー操作によって“大きく見る”メニューが選択されると、特定のメッセージの中で拡大する部分を選択(例えば、第１のラインの“こんどはえんぴつ”)する。拡大する部分が選択されると、図５の(Ｃ)に示すように、ポップアップウィンドウをディスプレーして選択された部分をポップアップウィンドウに拡大してディスプレーする。ここで、大きく見るメニューは、表示部１１０にディスプレーされたメッセージの１ラインずつ拡大して読み取るための方法である。また、ユーザーのキー操作(←/→/↑/↓)によって、選択されたラインから以後又は以前ラインを拡大して読み取ることができる。
【００３１】
一方、図６を参照すると、図６の(Ａ)に示すように、ユーザーのキー操作によって選択されたメッセージを表示部１１０にディスプレーした後に、図６の(Ｂ)に示すように拡大鏡メニューが選択されると、図６の(Ｃ)に示すように一つの文節単位で選択された文節だけが拡大される。その後、ユーザーのキー操作(←/→/↑/↓) によって拡大鏡ウィンドウを移動させてメッセージを持続的に拡大して読み取ることが可能である。ここで、拡大鏡機能は、拡大鏡ウィンドウを用いて表示部１１０にディスプレーされた状態で選択された単語又は、一つの文節別に拡大して見られる機能である。
また、本発明で、移動通信システムのメッセージフォントサイズを変更する方法は、フォントサイズ変更メニューを選択する段階と、フォントサイズ変更ウィンドウをディスプレーする段階と、前記フォントサイズ変更ウィンドウで変更されたフォントサイズでメッセージを入力する段階と有することが可能である。
本発明で、移動通信システムのメッセージフォントサイズを変更する方法は、メッセージの作成中にフォントサイズ変更メニューの選択をモニタリングする段階と、フォントサイズ変更メニューが選択されると、フォントサイズ変更ウィンドウをディスプレーする段階と、前記フォントサイズ変更ウィンドウで変更されたフォントサイズでメッセージを入力する 段階と有することが可能である。 
また、本発明で、移動通信システムのメッセージフォントサイズを変更する方法は、メッセージの読み取り中にフォントサイズ変更メニューを選択する段階と、フォントサイズを変更するメッセージ領域を選択する段階と、ウィンドウで選択されたメッセージ領域のフォントサイズを変更する段階とを有することが可能である。このウィンドウは、メッセージを単語単位又は文章単位で変更することを特徴とする。
本発明で、移動通信システムのメッセージフォントサイズを変更する方法は、メッセージの読み取り中にフォントサイズ変更メニューの選択をモニタリングする段階と、フォントサイズ変更メニューが選択されると、フォントメッセージの一定領域を選択する段階と、前記選択されたメッセージの一定領域のフォントサイズを変更する段階とを有することが可能である。
【００３２】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００３３】
【図１】本発明による移動通信端末機を示すブロック構成図である。
【図２】本発明の実施形態によるメッセージを拡大入力する手順を示すフローチャートである。
【図３】本発明の実施形態によるメッセージを拡大入力する画面を示す図である。
【図４】本発明の実施形態によるメッセージを拡大して確認する手順を示すフローチャートである。
【図５】本発明の第１の実施形態によるメッセージを拡大して確認する画面を示す図である。
【図６】本発明の第２の実施形態によるメッセージを拡大して確認する画面を示す図である。
【符号の説明】
【００３４】
１００  制御部
１０２  ＲＯＭ
１０４  ＲＡＭ
１０６  フラッシュＲＯＭ
１０８  キーパッド
１１０  表示部
１１２  コーデック
１１４  マイク
１１６  スピーカ
１１８  アンテナ
１２０  ＲＦ部
１２２  基底帯域処理部
【図１】
2007018511.tif 000003
【図２】
2007018511.tif 000004
【図３】
2007018511.tif 000005
【図４】
2007018511.tif 000006
【図５】
2007018511.tif 000007
【図６】
2007018511.tif 000008